(57)【特許請求の範囲】
【請求項１】
回転電極をなす回転子を筒状の固定電極内に所要の空隙を有して同軸状に遊嵌し、当該両電極間への高電圧印加でオゾンを生成する第１の機構と、回転電極をなすシロッコファンの回転外周域に固定電極を近接配置し、両電極間への高電圧印加でイオン化空気を生成する第２の機構とからなり、上記第１の機構で生成したオゾンと第２の機構で生成したイオン化空気とを、回転する上記シロッコファンを介して機外に放出するように構成したことを特徴とする回転式オゾン発生装置。
【請求項２】
上記第１の機構で生成したオゾンは第２の機構に空気を供給する取入れ口から吸入され、当該第２の機構で生成したイオン化空気とともに機外に放出されることを特徴とする請求項１記載の回転式オゾン発生装置。
【請求項３】
上記第１の機構を構成する回転子には、筒状の固定電極内への空気供給を補助する吸引羽根が併設されていることを特徴とする請求項１または２に記載の回転式オゾン発生装置。
【発明の詳細な説明】
【０００１】
【発明の属する技術分野】
本発明は、高電圧印加によるコロナ放電を利用してオゾンを生成するようにしたオゾン発生装置に係り、特に装置本体をコンパクト化しつつ、効率良くオゾンとイオン化空気とを混合して放出することができる回転式オゾン発生装置に関するものである。
【０００２】
【従来の技術】
従来、飲食店や食品工場におけるまな板、包丁あるいは食品保管用の冷蔵庫等は、食品衛生の観点からこれらの脱臭、殺菌を行うことが重要となっており、高電圧印加によるコロナ放電を利用してオゾンを生成するようにしたオゾン発生装置をその用途に利用することが当業者間では既に知られている。
【０００３】
しかしながら上記装置で生成されるオゾンは、その特性から食品加工用具や冷蔵庫での脱臭、殺菌作用には絶大な効果を得ることができるものの、むやみにオゾン濃度を上げると、食品加工用具に触れた食品や冷蔵庫に保管した食品の変質を助長するばかりでなく、高濃度オゾンの雰囲気に留まって食品加工を行う作業者や冷蔵庫内に出入りする作業者の健康に悪影響を与え易い、という欠点を有するものであった。
【０００４】
一方、電子機器あるいは高分子工業の分野において、生産システムや搬送システムの自動化、高速化に伴い、その工程において発生する静電気の除去を行う静電気除去装置は、前記した回転式オゾン発生装置と同様の原理を利用して一対の電極間への高電圧印加により負性のイオン化空気を生成し、これを帯電する物体に吹き付けて、当該物体の帯電を電気的に中和するものであるが、近年になって、この負性のイオン化空気を低濃度のオゾンとともに放出することにより、高濃度のオゾンと同等の脱臭、殺菌効果が認められることが知見されている。
【０００５】
【本発明が解決しようとする課題】
本発明は、上記の如き実状に鑑みオゾンの雰囲気にいる作業者の健康上の弊害を一掃しつつ、回転式オゾン発生装置の能力向上を目指すその研究、開発の過程で創案されたものであって、その目的とするところは、コンパクトに装置本体を構成できるものでありながら、オゾンの生成とイオン化空気の生成とを効率良く行うことができ、人体に悪影響を与えることなく脱臭、殺菌効果を高めることができる回転式オゾン発生装置を提供しようとするものである。
【０００６】
【課題を解決するための手段】
課題を解決するため、本発明が採用した第１の技術的手段は、回転電極をなす回転子を筒状の固定電極内に所要の空隙を有して同軸状に遊嵌し、当該両電極間への高電圧印加でオゾンを生成する第１の機構と、回転電極をなすシロッコファンの回転外周域に固定電極を近接配置し、両電極間への高電圧印加でイオン化空気を生成する第２の機構とからなり、上記第１の機構で生成したオゾンと第２の機構で生成したイオン化空気とを、回転する上記シロッコファンを介して機外に放出するように構成したことを特徴とし、第２の技術的手段として、上記第１の機構で生成したオゾンは第２の機構に空気を供給する取入れ口から吸入され、当該第２の機構で生成したイオン化空気とともに機外に放出されることを特徴とし、更に第３の技術的手段として、上記第１の機構を構成する回転子には、筒状の固定電極内への空気供給を補助する吸引羽根が併設されていることを特徴とするものである。
【０００７】
【発明の実施の形態】
本発明の構成を、図面に示した一実施例ついて詳細に説明する。
図１および図２において、１は回転式オゾン発生装置であり、該回転式オゾン発生装置１は、回転電極をなす回転子２を筒状の固定電極３内に所要の空隙を有して同軸状に遊嵌した第１の機構４と、同じく回転電極をなすシロッコファン５の回転外周域に固定電極６を近接配置した第２の機構７で構成され、ケースハウジング８内で同軸状に軸支した各機構４、７の回転子２およびシロッコファン５を同期回転させて供給空気ａ、ａ´からオゾンｂとイオン化空気ｃをそれぞれ生成し、当該オゾンｂとイオン化空気ｃが混合された状態でケースハウジング８の一側に形成したダクト９からこれを機外に放出する構成となっている。
【０００８】
上記ケースハウジング８を形成する後部ケース８ａには駆動モータ１０が内装されており、その駆動軸１１に金属製の導電フランジ１２、１２を介して第２の機構７のシロッコファン５が軸支され、かつ当該シロッコファン５の軸芯を貫通する円柱状の絶縁カップリング１３に、第１の機構４を形成する回転子２の回転軸１４が軸支されていると共に、上記シロッコファン５を包覆する中央ケース８ｂの軸方向前面には供給空気ａ´を吸入する取入れ口１５が開口され、かつこれから突設した連結脚１６、１６…を介して第１の機構４を包覆する筒状の前部ケース８ｃが同軸状に配設されている。
【０００９】
また上記前部ケース８ｃの軸方向前面には供給空気ａの取入れ口１７が一体形成されており、その内壁に係着したＸ字状の脚部１８、１８…の交差位置に、前記回転軸１４の他端を軸支する軸受１９が配設され、更に固定電極３内への空気供給を補助する吸引羽根２０が回転子２の前方に位置して回転軸１４に同軸状に軸支されている。
【００１０】
なお２１は取入れ口１７に張設される不織布を主とするエアフィルタであって、供給空気ａ中の微細な雑物の除去と、硫化水素ガス、アンモニアガス等の腐蝕性ガスの吸着除去を行うものである。また、上述の回転子２と吸引羽根２０の配置構成に代えて、図４に示すように、回転子２の外周面に吸引羽根２０´をラセン状に周設するように構成してもよく、この場合には吸引羽根２０を別途に設ける必要がないので、よりコンパクトな装置構成とすることができる。
【００１１】
上記固定電極３は、絶縁パイプ２２を介して前部ケース８ｃに内嵌されており、当該ケース８ｃの外部から内部に挿通する絶縁ガイド２３に案内されて給電子２４を固定電極３の外面に導通状態を保持して止着する一方、回転子２は、これを軸支する回転軸１４と導通状態を保持しており、前部ケース８ｃの外端から内部に挿通する絶縁ガイド２５に案内されて給電子２６を回転軸１４に弾着することにより、固定電極３と回転子２との間への高電圧印加でオゾンｂを生成する第１の機構４が構成されている。
【００１２】
一方、前記駆動モータ１０の駆動軸１１には、後部ケース８ａの外面から内部に挿通する絶縁ガイド２７に案内された給電子２８が弾着されており、駆動軸１１から導電フランジ１２、１２を経てシロッコファン５に導通していると共に、中央ケース８ｂの一側に形成されるダクト９内には、上記シロッコファン５の回転外周域に臨む一対の棒状電極子６ａ、６ａを並設してなる固定電極６が配設され、該固定電極６とシロッコファン５との間への高電圧印加で、取入れ口１５から吸入した供給空気ａ´によりイオン化空気ｃを生成する第２の機構７が構成されている。
【００１３】
ここで、上記第１の機構４および第２の機構７の回路構成を図３に基づいて説明する。図において、２９は商用電力のＯＮ／ＯＦＦおよび入力分配を行う分電制御部であって、該分電制御部２９には、第１の機構４への電力供給を制御する交流制御回路３０と、第２の機構７に電力を供給する入力回路３１がそれぞれ接続されていると共に、上記交流制御回路３０には回転軸１４の軸受１９に内蔵された回転検出センサ３２が接続されており、該回転軸１４が所定回転数以上に達した際に、その検出出力信号を受けて後段の交流高電圧発生回路３３に電力を供給し、第１の機構４の固定電極３と回転子２との間で交流の高電圧を印加する構成となっている。また入力回路３１には、回転制御部３４と直流高電圧発生回路３５がそれぞれ接続されており、回転制御部３４を介した駆動モータ１０の回転駆動に連繋して回転軸１４が所定回転数以上に達した際に、回転検出センサ３２の検出出力信号を受けた直流高電圧発生回路３５の陰極端子と陽極端子から直流高電圧を出力し、当該各端子に接続した固定電極６とシロッコファン５との間で直流高電圧の印加によるイオン化空気ｃの生成を行うようになっている。
【００１４】
叙上の如き構成において、分電制御部２９の図示しない起動スイッチをオンすると、まず入力回路３１に接続した回転制御部３４を介して駆動モータ１０が回転駆動を開始し、その駆動軸１１の回転駆動によって第１の機構４の回転子２と第２の機構７のシロッコファン５が同期回転状態となると共に、回転軸１４に軸支した吸引羽根２０が供給空気ａの吸入作動を開始し、当該回転軸１４の回転、すなわち駆動モータ１０の駆動軸１１の回転作動が所定の回転数以上に達して安定状態となった時点で、第１の機構４および第２の機構７においてオゾンｂとイオン化空気ｃの生成作動がそれぞれ行われることになる。
【００１５】
ここで上記第１の機構４でのオゾン生成作動は、その前面に併設した吸引羽根２０により供給空気ａがスムーズに吸入されるので、固定電極３と回転子２との間で効率の良いオゾンｂの生成を行うことができる。そして生成した上記オゾンｂは、前部ケース８ｃの後端開放側から中央ケース８ｂ内のシロッコファン５に向けて吸引される。
【００１６】
また第２の機構７においては、上記オゾンｂとともに取入れ口１５から中央ケース８ｂ内に吸入される供給空気ａ´がシロッコファン５を介してダクト９から放出される際に、当該シロッコファン５とその回転外周域に臨む固定電極６との間で高電圧印加により負性のイオン化空気ｃが生成され、上記シロッコファン５に吸引されたオゾンｂとイオン化空気ｃが混合されて機外に放出されることになる。
【００１７】
したがって、回転式オゾン発生装置１の全体構成をコンパクトにできるものでありながら、オゾンｂとイオン化空気ｃを効率良く生成して放出することができ、食品加工用具や冷蔵庫での脱臭、殺菌作用の効果を低下させることなく、人体に悪影響を与えることのない適度のオゾン濃度で脱臭、殺菌効果を高めることができる。
【００１８】
【発明の効果】
これを要するに本発明は、回転電極をなす回転子を筒状の固定電極内に所要の空隙を有して同軸状に遊嵌し、当該両電極間への高電圧印加でオゾンを生成する第１の機構と、回転電極をなすシロッコファンの回転外周域に固定電極を近接配置し、両電極間への高電圧印加でイオン化空気を生成する第２の機構とからなり、上記第１の機構で生成したオゾンと第２の機構で生成したイオン化空気とを、回転する上記シロッコファンを介して機外に放出するように構成したから、
▲１▼装置全体の構成をコンパクトにできるものでありながら、第２の機構を形成するシロッコファンの送風作用を有効に利用して生成したオゾンとイオン化空気を効率良く放出することができると共に、人体に悪影響を与えることのない適度のオゾン濃度で、食品加工用具や冷蔵庫での脱臭、殺菌効果を高めることができる。
また、上記第１の機構で生成したオゾンは第２の機構に空気を供給する取入れ口から吸入され、当該第２の機構で生成したイオン化空気とともに機外に放出されるから、
▲２▼生成したオゾンの濃度ムラが、第２の機構に吸入される供給空気により緩和されて均一なオゾン濃度を保持することができ、シロッコファンの送風作用と相俟ってイオン化空気との混合ムラのないオゾンの放出を行うことができる。
更に、上記第１の機構を構成する回転子には、筒状の固定電極内への空気供給を補助する吸引羽根が併設されているから、
▲３▼固定電極と回転子との間に供給される空気の積極的な吸い込み、吐き出しを促進することができ、スムーズな吸入作用により効率の良くオゾンの生成を行うことができる。
等という極めて有用な新規的効果を奏するものである。
【図面の簡単な説明】
【図１】一部を切欠いて示す回転式オゾン発生装置の全体斜視図である。
【図２】回転式オゾン発生装置の全体縦断面図である。
【図３】高電圧発生に要する回路構成を示すブロック図である。
【図４】回転式オゾン発生装置の他例を示す全体縦断面図である。
【符号の説明】
１      回転式オゾン発生装置
２      回転子
３      固定電極
４      第１の機構
５      シロッコファン
６      固定電極
７      第２の機構
１５    取入れ口
２０    吸引羽根
２０´  吸引羽根
ｂ      オゾン
ｃ      イオン化空気
【図１】
0003997285.tif 000002
【図２】
0003997285.tif 000003
【図３】
0003997285.tif 000004
【図４】
0003997285.tif 000005